(57)【要約】本発明は、着用者の両肩領域の周りに延びるように配置される胸部ストラップ（２）と、ウエストベルト（３）と、胸部ストラップおよびウエストベルトに装着されるベビーキャリーポーチ（４）と、を備えるベビーキャリア（１）に関し、前記ベビーキャリーポーチ（４）は、少なくとも脚開口部（６）およびヘッドサポート（７）を有するフロントピース（５）を備え、ヘッドサポート（７）のそれぞれの側方角部（８）は、着脱可能なバックル（１０）を有する第１のストラップ手段（９）によって、それぞれの胸部ストラップ（２）における対応する近傍の連結点に着脱可能に連結される。第２のストラップ手段（２０）は、ヘッドサポート（７）のそれぞれの側方角部（８）と、それぞれの第１のストラップ手段（９）に沿ってスライド可能に配置されるバックル（３０）との間に配置され、前記第２のストラップ手段（２０）は、前記バックル（３０）に連続的に調節可能に連結される。【選択図】図３
2021506370.tif 000002
【特許請求の範囲】
【請求項１】
着用者の両肩領域の周りに延びるように配置される胸部ストラップ（２）と、ウエストベルト（３）と、前記胸部ストラップおよび前記ウエストベルトに装着されるベビーキャリーポーチ（４）と、を備えるベビーキャリア（１）であって、
前記ベビーキャリーポーチ（４）は、少なくとも脚開口部（６）およびヘッドサポート（７）を有するフロントピース（５）を備え、
前記ヘッドサポート（７）のそれぞれの側方角部（８）は、着脱可能なバックル（１０）を有する第１のストラップ手段（９）によって、それぞれの胸部ストラップ（２）における対応する近くの連結点に着脱可能に連結され、
第２のストラップ手段（２０）は、前記ヘッドサポート（７）のそれぞれの側方角部（８）と、それぞれの第１のストラップ手段（９）に沿ってスライド可能に配置されるバックル（３０）との間に配置され、前記第２のストラップ手段（２０）は、前記バックル（３０）に連続的に調節可能に連結されることを特徴とする、ベビーキャリア（１）。
【請求項２】
前記第２のストラップ手段（２０）が、前記ヘッドサポート（７）のそれぞれの前記側方角部（８）の境界部分（８ａ）と前記バックル（３０）との間に配置されていることを特徴とする、請求項１に記載のベビーキャリア（１）。
【請求項３】
前記第１のストラップ手段（９）は、前記第１のストラップ手段（９）の縁（１２）に沿って組紐（１１）を備え、前記バックル（３０）が、前記組紐（１１）に沿ってスライド可能に配置されることを特徴とする、請求項１または２に記載のベビーキャリア（１）。
【請求項４】
前記バックル（３０）が、前記組紐（１１）に沿った任意の点で前記バックル（３０）を前記組紐（１１）に係止するように配置される係止舌（３２）を備えることを特徴とする、請求項３に記載のベビーキャリア（１）。
【請求項５】
前記組紐（１１）が、前記ベビーキャリア（１）の中央部分から離れる方向に向けられる、前記第１のストラップ手段（９）の前記縁（１２）に沿って配置されることを特徴とする、請求項３または４に記載のベビーキャリア（１）。
【請求項６】
前記第１のストラップ手段（９）が、少なくとも上部取付点（１３）と下部取付点（１４）とが形成されるように、着脱可能なバックル（１０）と反対側の端部（９ａ）において前記ヘッドサポート（７）に取り付けられることを特徴とする、請求項１から５のいずれか一項に記載のベビーキャリア（１）。
【請求項７】
前記ヘッドサポート（７）が、前記ヘッドサポート（７）の上部境界縁（７ａ）と、前記フロントピース（５）の長手方向に垂直に形成される仮想線（４０）との間、およびそれぞれの前記上部取付点（１３）と、それぞれの前記下部取付点（１４）との間に配置される補強手段を設けることを特徴とする、請求項６に記載のベビーキャリア（１）。
【請求項８】
主要部分（３２ａ）を有する係止舌（３２）を設ける本体（３１）と、第２のストラップ手段（２０）がその周りに連続的に調節可能にねじ込まれるピン（５０）と、組紐（１１）が走るように配置される開溝（３３）と、を備え、
前記係止舌（３２）は、ばね手段（３４）によって前記本体（３１）に弾性式に取り付けられ、前記バックル（３０）を前記組紐（１１）に沿った任意の位置で前記組紐（１１）に係止するよう適合することを特徴とする、請求項１から７のいずれか１項に記載のベビーキャリア（１）のヘッドサポート（７）の調節を可能にするバックル（３０）。
【請求項９】
前記係止舌（３２）の主要部分（３２ａ）と反対側の、前記係止舌（３２）の端部（３２ｂ）が、前記ばね手段（３４）の第１の脚部分（３４ａ）と平行に配置される平坦面（３２ｃ）を有し、
前記係止舌（３２）の前記端部（３２ｂ）が、前記ばね手段（３４）の前記第１の脚部分（３４ａ）と前記本体３１に形成される突出部（３９）との間に形成される凹部（３８）内に、前記組紐（１１）を締め付けるように適合されることを特徴とする、請求項８に記載のバックル。
【請求項１０】
前記ピン（５０）の長手方向が、前記開溝（３３）の長手方向に対して約２０°〜約６０°、好ましくは約３０°〜約５０°、より好ましくは約３５°〜約４５°の角度αを形成することを特徴とする、請求項８または９に記載のバックル。
【発明の詳細な説明】
【技術分野】
【０００１】
本発明は、請求項１の前提部に定義される種類の調節可能なヘッドサポートを有するベビーキャリアと、請求項８に従ってヘッドサポートの調節を可能するバックルとに関する。
【背景技術】
【０００２】
ベビーキャリアは、通常、着用者の両肩領域の周りに延びるように配置される胸部ストラップを有するハーネスと、ウエストベルトと、ハーネスおよびウエストベルトによって運ばれ、ベビーキャリーポーチまたは該ベビーキャリーポーチの少なくとも一部を形成するフロントピースと、を備える。
【０００３】
フロントピースの少なくとも上部側方角部分、すなわちヘッドサポートの上部側方角部分は、好ましくはハーネス／胸部ストラップにおける対応する近傍の連結点に着脱可能に連結される。また、フロントピースの他の部品は、例えば、直接またはストラップ手段を介して、ハーネスの対応する連結点に着脱可能に連結してもよい。
【０００４】
上述のタイプのフロントピースを有するベビーキャリアは、例えば、本願出願人の国際特許出願の国際公開公報である特許文献１に開示されており、当該文献は、参照により組み込まれる。
【０００５】
フロントピースは、可撓性材料で作られており、したがって、ベビーキャリーポーチによって運ばれる赤ん坊の形状および体重の影響下で、形状自体が少なくともある程度可撓性となる。
【０００６】
さらに、ヘッドサポートは通常、ストラップ手段によってハーネスのそれぞれの胸部ストラップに調節可能に取り付けられ、ストラップ手段の長さは、赤ん坊／子どもの頭部とベビーキャリアの着用者の胸部との間の距離を調節することができるように調節可能であり、すなわち、ストラップ手段がより締められるほど、赤ん坊／子どもの頭部はより胸部に近くなるであろう。
【０００７】
また、望ましくは、ヘッドサポートを折り畳み位置で折り畳むことができ、すなわち、ヘッドサポートはフロントピースの外側に沿って下方へ折り畳まれてもよい。ベビーキャリアによって運ばれる子どもの位置に応じて、すなわち、子どもが顔を前にして運ばれるときに、ヘッドサポートは運ばれる赤ん坊／子どもの顔の前に位置するため、好ましくは、赤ん坊／子どもの利便性のために折り畳み位置で折り畳まれるべきである。
【０００８】
ヘッドサポートが折り畳み位置をとることを可能にするために、ヘッドサポートの上部境界縁からヘッドサポートが折り畳まれるフロントピースの位置まで延びる長手方向補強手段を、ヘッドサポートに設けることが知られている。この解決策では、ヘッドサポートは２つの位置、すなわち直立位置または折り畳み位置のいずれかの位置しかとることができない。この解決策の欠点は、ヘッドサポートが、補強手段のばね作用によって意図せずに折り畳み位置から直立位置に回転する可能性があることである。
【０００９】
ヘッドサポートの上記欠点を解消する一つの方法は、出願人のスウェーデン特許の明細書である特許文献２において開示されており、この文献は本願明細書に参照により組み込まれ、一つの連続調節可能なストラップが提供される。より具体的には、前記ストラップの一端がフロントピースに取り付けられ、前記ストラップの他端はバックルを介してヘッドサポートに調節可能に連結され、またはその逆も同様である。
【００１０】
ヘッドサポートを折り畳む上記解決策は、いずれも２次元方向になされる。
【先行技術文献】
【特許文献】
【００１１】
【特許文献１】国際公開第２０１５／０５３６９６号パンフレット
【特許文献２】スウェーデン登録特許第５３９４６０号明細書
【発明の概要】
【発明が解決しようとする課題】
【００１２】
本発明の目的は、いくつかの方法で調節可能で、高さ方向並びにベビーキャリアの着用者に向かう方向および着用者から離れる方向の両方、したがって３次元で連続的に調節可能である、ヘッドサポート付きのフロントピースを有するベビーキャリアを提供することである。
【００１３】
ヘッドサポートの調節を改善すべき理由は、同一のベビーキャリアが成長する赤ん坊／子どもの大きさに合わせて適応可能でなければならないからである。
【課題を解決するための手段】
【００１４】
本発明によれば、この目的は、着用者の両肩領域の周りに延びるように配置される胸部ストラップと、ウエストベルトと、胸部ストラップおよびウエストベルトに装着されるベビーキャリーポーチと、を備えるベビーキャリアによって達成され、前記ベビーキャリーポーチは、少なくとも脚開口部およびヘッドサポートを有するフロントピースを備え、ヘッドサポートのそれぞれの側方角部は、着脱可能なバックルを有する第１のストラップ手段によって、それぞれの胸部ストラップにおける対応する近傍の連結点に着脱可能に連結され、第２のストラップ手段は、ヘッドサポートのそれぞれの側方角部とそれぞれの第１のストラップ手段に沿ってスライド可能に配置されるバックルとの間に配置され、第２のストラップ手段は、前記バックルに連続的に調節可能に連結されることを特徴とする。
【００１５】
本発明の他の実施形態は、添付の従属請求項から明らかになるであろう。
【図面の簡単な説明】
【００１６】
【図１】調節手段付きのヘッドサポートを有するフロントピースを備え、ヘッドサポートが直立位置で示されるベビーキャリアの斜視図である。
【図２】図１の円内の調節手段の拡大図である。
【図３】第２のストラップ手段のバックルが上部位置にある直立位置のヘッドサポートを示す、図１に示すベビーキャリアの部分側面図である。
【図４】第２のストラップ手段のバックルが下部位置にある折り畳み位置のヘッドサポートを示す、図３に示すものと同様の図である。
【図５】ヘッドサポートの調節を可能にするためのバックルを斜め上方から見た図である。
【図６】図５に示すバックルの正面図である。
【図７】図６に示すバックルの背面図である。
【発明を実施するための形態】
【００１７】
以下、添付図面を参照して、本発明を非限定的な例として説明する。
【００１８】
本明細書および以下の特許請求の範囲において、上部、下部、下方へ等の表現は、着用者が携帯するベビーキャリアの通常の使用に関連して理解されるべきである。
【００１９】
赤ん坊および子供という表現は、本明細書および特許請求の範囲を通じて互いに交換可能であることに留意されたい。
【００２０】
図１は、着用者（図示せず）の両肩領域の周りに延びるように配置される胸部ストラップ２と、ウエストベルト３と、胸部ストラップおよびウエストベルトに装着されるベビーキャリーポーチ４と、を備えるベビーキャリア１を示す。ベビーキャリーポーチ４は、少なくとも、脚開口部６を有するフロントピース５と、ヘッドサポート７と、を備える。ヘッドサポート７のそれぞれの側方角部８は、着脱可能なバックル１０を有する第１のストラップ手段９（図２参照）によって、それぞれの胸部ストラップ２における対応する近傍の連結点に着脱可能に連結される。
【００２１】
図２により詳細に見られるように、第２のストラップ手段２０は、ヘッドサポート７のそれぞれの側方角部８の境界部分８ａと、それぞれの第１のストラップ手段９に沿ってスライド可能に配置されるバックル３０との間に配置される。第２のストラップ手段２０は、前記バックル３０に連続的に調節可能に連結される。
【００２２】
より具体的には、第１のストラップ手段９は、好ましくは長方形のパッド付きストラップとして形成され、第１のストラップ手段９の縁１２に沿って組紐１１が設けられる。組紐１１は、ベビーキャリア１の中央部分から離れる方向に向けられる第１のストラップ手段９の縁１２に沿って、すなわち、それぞれの第１のストラップ手段９の外縁１２上に配置される。
【００２３】
図３に見られるように、第１のストラップ手段９は、少なくとも上部取付点１３と下部取付点１４とが形成されるように、前記着脱可能なバックル１０と反対側のその端部９ａにおいてヘッドサポート７に取り付けられ、組紐１１は、着脱可能なバックル１０から下部取付点１４まで、第１のストラップ手段９の縁１２に沿って幅広く伸びる。このように、バックル３０は着脱可能なバックル１０から下部取付点１４に、またはその逆にスライドすることができ、組紐１１に沿った任意の点で止めることによって、スライドすることができるだろう。
【００２４】
それぞれの第１のストラップ手段９の端部９ａを、フロントピース５の内側へ取り付けることは、バックル３０が、組紐１１に沿って、着脱可能なバックル１０から第１のストラップ手段９の下部取付点１４まで、またはその逆にスライドすることができる限り、任意の好適な方法で行うことができる。
【００２５】
フロントピース５のうち、少なくともヘッドサポート７はパッド材で形成され、ヘッドサポート７には、ヘッドサポート７の上部境界縁７ａと、フロントピース５の長手方向に垂直に形成される仮想線４０との間に配置され、それぞれの上部取付点１３に沿って、またはそれぞれの上部取付点１３とそれぞれの下部取付点１４との間に位置し、ヘッドサポート７をその折り畳み位置に折り畳むための線として作用する、補強手段（図示せず）が設けられている。図４参照。
【００２６】
ヘッドサポート７の調節可能性を高めるために、バックル３０には組紐１１に沿った任意の点でバックル３０を係止するように配置される係止舌３２（図５参照）が設けられ、また、第２のストラップ手段２０は、前記バックル３０と連続的に調節可能に連結される。これは、ヘッドサポート７の調節を三次元で行うことができるということを意味する。
【００２７】
バックル３０とその係止舌３２については、以下により詳細に説明する。
【００２８】
図５−７に示すように、バックル３０は、主要部分（a key portion）３２ａを有する係止舌３２を設ける本体３１と、第２のストラップ手段２０がその周りにねじ込まれ（例えば、図３を参照）、第２のストラップ手段２０の長さを連続的に調節可能にするピン５０と、組紐１１が走るように配置される開溝３３と、を備える。係止舌３２は、互いに連結される３つの脚部分である、第１の脚部分３４ａと、第２の脚部分３４ｂと、第３の脚部分３４ｃとを有するばね手段３４によって本体３１に弾性式に取り付けられ、第１の脚部分３４ａと第３の脚部分３４ｃとが互いに並行に配置されるように、互いに対して垂直に配置される。
【００２９】
より具体的には、第１の脚部分３４ａの第１の端部３５ａが本体３１に取り付けられ、第１の脚部分３４ａの第２の端部３５ｂは、第２の脚部分３４ｂの第１の端部３６ａに取り付けられる。第２の脚部分３４ｂの第２の端部３６ｂは、第３の脚部分３４ｃの第１の端部３７ａに取り付けられ、第３の脚部分３４ｃの第２の端部３７ｂは、好ましくはその中間部分で、係止舌３２に取り付けられる。
【００３０】
主要部分３２ａと反対側の係止舌３２の端部３２ｂは、好ましくは第１の脚部分３４ａと平行に配置される平坦面３２ｃを有する。係止舌３２の端部３２ｂは、ばね手段３４の第１の脚部分３４ａと本体３１の突出部３９との間に形成される凹部３８内に、組紐１１を狭持するように適合されている。突出部３９は、係止舌３２の端部３２ｂが組紐１１に及ぼす挟持力を増大させるように、第１の脚部分３４ａに向かって傾斜する面３９ａを有する。開溝３３の一端３３ａは凹部３８に食い込む。これにより、組紐１１は突出部３９と係止舌３２の端部３２ｂとの間に挟持されることになる。従って、バックル３０を組紐１１に沿った任意の所望の位置で止め、これにより組紐１１に沿った任意の位置で、第２のストラップ手段２０の長さを調節することができる。
【００３１】
それぞれのバックル３０が第１のストラップ手段９の下部取付点１４にあるかまたはその近傍にあるときに、それぞれの第２のストラップ手段２０を締め付けることによって、ヘッドサポート７を下方の折り畳み位置で確実に位置決めすることができる。
【００３２】
第２のストラップ手段２０の長さの調節をより容易にするために、ピン５０の長手方向は、開溝３３の長手方向に対して約２０°〜約６０°、好ましくは約３０°〜約５０°、より好ましくは約３５°〜約４５°の角度αを形成する。開溝３３に対してこのような角度で斜めにピン５０を形成することで、ピン５０の長手方向は、第２のストラップ手段２０の長手方向に対して略垂直となる。
【００３３】
なお、バックル３０はまた、図５〜図７に示すものと鏡面反転した形態で存在する。
【図１】
2021506370.tif 000003
【図２】
2021506370.tif 000004
【図３】
2021506370.tif 000005
【図４】
2021506370.tif 000006
【図５】
2021506370.tif 000007
【図６】
2021506370.tif 000008
【図７】
2021506370.tif 000009
【国際調査報告】
2021506370.tif 000010
2021506370.tif 000011
2021506370.tif 000012
2021506370.tif 000013
2021506370.tif 000014
2021506370.tif 000015